(57)【要約】【課題】扉の開閉をスムーズに行うことができる把手部を有する扉を提供する。【解決手段】扉１は、本体部２と把手部３とを備える。把手部３は、本体部２の前面Ｂａと連続する前面側縁部３０と、本体部２の後面Ｆｒと連続する後面側縁部３１と、前面側縁部３０および後面側縁部３１の間に形成された凹部３２とによって構成される。凹部３２は、前面側縁部３０と連続し、直線状に延びる第１の部分３３と、後面側縁部３１と連続し、円弧状にカーブする第２の部分３４とを有する。第１の部分３３は、本体部２の板面に対して２４度よりも小さい傾斜角度θで内方に向けて傾斜している。第２の部分３４は、曲率半径Ｒが４．０ｍｍよりも大きい。前面側縁部３０の外端部Ｐ２と凹部３２の最深部Ｐ１との間の距離Ｂが８．０ｍｍよりも大きい。【選択図】図２
2014070326.tif 000002
【特許請求の範囲】
【請求項１】
板状の本体部と、前記本体部の端部に設けられた把手部と、を備える扉において、
前記把手部は、前記本体部の前面と連続する前面側縁部と、前記本体部の後面と連続する後面側縁部と、前記前面側縁部および前記後面側縁部の間に形成された凹部と、によって構成され、
前記凹部は、前記前面側縁部と連続し、直線状に延びる第１の部分と、前記後面側縁部と連続し、円弧状にカーブする第２の部分と、を有し、
前記第１の部分は、前記本体部の板面に対して２４度よりも小さい傾斜角度θで内方に向けて傾斜する扉。
【請求項２】
前記第２の部分は、曲率半径Ｒが４．０ｍｍよりも大きい請求項１に記載の扉。
【請求項３】
前記前面側縁部の外端部と前記凹部の最深部との間の距離Ｂが８．０ｍｍよりも大きい請求項２に記載の扉。
【請求項４】
前記第２の部分の前記曲率半径Ｒが４．５ｍｍ以上であり、前記第１の部分の外端部と前記凹部の最深部との間の前記距離Ｂが９ｍｍ以上である請求項３に記載の扉。
【請求項５】
前記本体部の厚みＤが１５ｍｍ以上２０ｍｍ以下である請求項１〜４のいずれかに記載の扉。
【請求項６】
前記本体部および前記把手部の表面に化粧シートが貼り付けられている請求項１〜５のいずれかに記載の扉。
【発明の詳細な説明】
【技術分野】
【０００１】
本発明は、食器棚や洗面台、収納家具などにおける開き扉や引き扉などの、扉開閉用の把手部が端部に設けられている扉に関する。
【背景技術】
【０００２】
この種の扉として、図４に示すような、断面視Ｊ形状の把手部１０１が板状の本体部１０２の端部に一体に設けられた扉１００が、従来から知られている。把手部１０１は、前面側縁部１０３と、後面側縁部１０４と、前面側縁部１０３および後面側縁部１０４の間に形成された凹部１０５とによって構成されており、凹部１０５はその全面が曲線状に形成され、この凹部１０５に指を引っ掛けることで本体部１０２の開閉が行われる。また、扉１００には、扉１００の見栄えを良くするため、把手部１０１および本体部１０２の表面に化粧シート１０６が貼り付けられている（例えば、特許文献１を参照）。
【先行技術文献】
【特許文献】
【０００３】
【特許文献１】特許４７２５３０３号公報
【発明の概要】
【発明が解決しようとする課題】
【０００４】
特許文献１に記載の扉１００では、化粧シート１０６を扉１００（特に把手部１０１）に貼り付けやすくするために、把手部１０１の形状を工夫している。具体的には、曲線状をなす凹部１０５の前面側縁部１０３近傍の曲率半径を後面側縁部１０４近傍の曲率半径よりも大きくし、かつ、後面側縁部１０４から前面側縁部１０３に沿って凹部１０５の曲率半径を徐々に大きくしている。これにより、化粧シート１０６の貼付時に、化粧シート１０６を把手部１０１に押さえ付けるためのローラの押さえ付け部（図示せず）を、把手部１０１の全ての面に当接でき、その結果、化粧シート１０６を把手部１０１に対して確実に貼付可能としている。
【０００５】
しかしながら、特許文献１に記載の扉１００のように、把手部１０１の凹部１０５の全面を曲線状に形成すると、扉開閉時における凹部１０５の指の引っ掛かりが悪く、また、凹部１０５において指が滑るなどするために、スムーズに扉１００の開閉を行えないという問題がある。また、凹部１０５の後面側縁部１０４近傍の曲率半径が小さいと、凹部１０５に指を挿入しにくく、扉１００の開閉操作時に無駄な力が必要となる結果、同様に、スムーズに扉１００の開閉を行えないという問題がある。
【０００６】
本発明は上記した問題に着目してなされたもので、扉の開閉をスムーズに行うことができる把手部を有する扉を提供することを目的とする。
【課題を解決するための手段】
【０００７】
本発明の上記目的は、板状の本体部と、前記本体部の端部に設けられた把手部と、を備える扉において、前記把手部は、前記本体部の前面と連続する前面側縁部と、前記本体部の後面と連続する後面側縁部と、前記前面側縁部および前記後面側縁部の間に形成された凹部と、によって構成され、前記凹部は、前記前面側縁部と連続し、直線状に延びる第１の部分と、前記後面側縁部と連続し、円弧状にカーブする第２の部分と、を有し、前記第１の部分は、前記本体部の板面に対して２４度よりも小さい傾斜角度θで内方に向けて傾斜する扉によって達成される。
【０００８】
本発明の好ましい実施態様においては、前記第２の部分は、曲率半径Ｒが４．０ｍｍよりも大きいことを特徴としている。
【０００９】
本発明のさらに好ましい実施態様においては、前記前面側縁部の外端部と前記凹部の最深部との間の距離Ｂが８．０ｍｍよりも大きいことを特徴としている。
【００１０】
本発明のさらに好ましい実施態様においては、前記第２の部分の前記曲率半径Ｒが４．５ｍｍ以上であり、前記第１の部分の外端部と前記凹部の最深部との間の前記距離Ｂが９ｍｍ以上であることを特徴としている。
【００１１】
本発明のさらに好ましい実施態様においては、前記本体部の厚みＤが１５ｍｍ以上２０ｍｍ以下であることを特徴としている。
【００１２】
本発明のさらに好ましい実施態様においては、前記本体部および前記把手部の表面に化粧シートが貼り付けられていることを特徴としている。
【発明の効果】
【００１３】
本発明によると、把手部の凹部への指の引っ掛かりが良くなり、また、把手部の凹部に指が入りやすいため、扉の開閉をスムーズに行うことができる。
【図面の簡単な説明】
【００１４】
【図１】本発明の一実施形態に係る扉の斜視図である。
【図２】図１の扉の把手部の断面図である。
【図３】比較例の扉の把手部の断面図である。
【図４】従来例の扉の把手部の断面図である。
【発明を実施するための形態】
【００１５】
以下、本発明の実施形態について、添付図面を参照して説明する。図１は、本発明の一実施形態に係る扉１の外観を示しており、図２は、図１の扉１の把手部３の断面構造を拡大して示している。なお、図２においては、化粧シート４を省略している。本実施形態の扉１は、板状の本体部２と、扉開閉のための把手部３とを備えており、二枚一組で観音開きの扉として使用することもできるし、一枚で片開きの扉として使用することもできる。また、開き扉だけでなく引き扉として使用することもできる。
【００１６】
本体部２は正面視矩形状であり、その左右一方側の端部に把手部３が一体に設けられている。本体部２の厚みＤとしては、１５ｍｍ以上であることが好ましい。本体部２の厚みＤが１５ｍｍよりも小さいと、扉１が薄くなり過ぎるために、その耐久性（物理的強度）が弱くなり、例えば耐衝撃性に劣るという問題があるうえ、扉１の取り付け時に本体部２に反りなどが生じやすく、扉としての適性を欠くためである。さらに、本体部２の厚みＤが１５ｍｍよりも小さいと、把手部３に以下で規定する凹部３２を形成できなくなるもしくは切削などの加工が難しくなるおそれがあり、これにより扉１の開閉にスムーズ感が得られなくなるためである。また、本体部２の厚みＤは２０ｍｍ以下であることがより好ましい。本体部２の厚みＤが２０ｍｍ以下であると、扉１に使用する材料の量が増すことにより、扉１の重量が増す結果、扉１の加工時や搬送時において作業者の負荷が増し、かつ環境負荷の増大が問題となるからである。
【００１７】
把手部３は、本体部２の前面Ｆｒと連続する前面側縁部３０と、本体部２の後面Ｂａと連続する後面側縁部３１と、前面側縁部３０および後面側縁部３１の間に形成された凹部３２とによって構成されている。前面側縁部３０は後面側縁部３１よりもその長さが短く、前面側縁部３０側から凹部３２に指を挿入して引っ掛けることで扉１が開閉される。なお、図示例では、前面側縁部３０の端部は断面視円形状に形成されており、後面側縁部３１の端部は角が丸みを帯びた断面視略角形状に形成されているが、両者ともに断面視円形状に形成されていてもよいし、断面視略角形状に形成されていてもよい。
【００１８】
凹部３２は、直線状に延びる第１の部分３３と、円弧状にカーブする第２の部分３４とを有しており、第１の部分３３が前面側縁部３０と連続し、第２の部分３４が後面側縁部３１と連続している。なお、把手部３においては、前面側縁部３０と凹部３２との境目、および、後面側縁部３１と凹部３２との境目が明確に表されているわけではなく、前面側縁部３０の端部が前面側から後面側に折り返されて内方に向けて延びるに当たり、直線状に延び始める部分からが凹部３２の第１の部分３３に相当し、所定の曲率半径の円弧状にカーブし始める部分からが第２の部分３４に相当している。また、第２の部分３４から直線状または曲率半径の異なる曲線状に延び始める部分からが後面側縁部３１に相当している。
【００１９】
凹部３２の第１の部分３３は、直線状に形成され、本体部２の板面（前面Ｂａや後面Ｆｒ）に対して所定の傾斜角度θで内方に向けて傾斜している。把手部３の凹部３２の前面側縁部３０側の第１の部分３３を直線状に形成すると、扉開閉時に凹部３２の指が挿入される側の前面側縁部３０近傍に指が引っ掛かりやすい部分を形成することができる。そのため、扉開閉時における凹部３２への指の引っ掛かりがよくなり、把手部３の把手としての適性を向上させることができる結果、扉１の開閉をスムーズに行うことが可能になる。
【００２０】
なお、第１の部分３３の傾斜角度θとしては、１７度以上であって２４度よりも小さくなるように設定されている。第１の部分３３の傾斜角度θが１７度よりも小さいと、把手部３の前面側縁部３０の厚みが薄くなり過ぎるためにその耐久性（物理的強度）が弱くなり、例えば耐衝撃性や耐連続荷重性に劣るという問題があるためである。また、第１の部分３３の傾斜角度θが２４度以上であると、後述するように、扉開閉時に把手部３の凹部３２への指の引っ掛かりが悪くあるいは良好とならず、扉開閉時に凹部３２において指の滑りが生じやすくなるのに対して、第１の部分３３の傾斜角度θを２４度よりも小さくすると、扉開閉時の把手部３の凹部３２への指の引っ掛かりが格段に良くなり、把手としての適性をさらに向上させることができるからである。
【００２１】
凹部３２の第２の部分３４は、所定の曲率半径Ｒを有する円弧状に形成されている。第２の部分３４の曲率半径Ｒとしては、４．０ｍｍよりも大きくなるように設定されている。第２の部分３４の曲率半径Ｒが小さいと、扉開閉時に把手部３の凹部３２に指を挿入しづらく、特に指が太い男性の場合には顕著であり、扉開閉時に無駄な力が必要となる結果、スムーズに扉１の開閉を行えないという問題がある。また、腕力の弱い女性や幼児の場合は、凹部３２の奥まで指を挿入しなければ扉開閉時に要する力が大きくなるので、第２の部分３４の曲率半径Ｒが小さいと扉１の開閉が困難になるという問題がある。これに対して、第２の部分３４の曲率半径Ｒが４．０ｍｍよりも大きいと、後述するように、扉開閉時に凹部３２に指を挿入しやすくなるため、男性や女性、幼児を問わず、扉１の開閉をスムーズに行うことが可能になる。
【００２２】
上記構成の本体部２および把手部３は、木材を切削することにより形成することもできるし、ＡＢＳ、アクリル、ポリオレフィンなどの合成樹脂やアルミニウムなどの金属を射出成型することによっても形成することができる。また、本体部２および把手部３の表面には、ラミネータによって化粧シート４が貼り付けられている。化粧シート４は、例えば紙系の化粧シートや樹脂系の化粧シート（木質調化粧シート、鏡面調化粧シートなど）、突板、メラミン板などを接着剤などで貼着することで、本体部２および把手部３の表面に貼り付けられる。化粧シート４の厚みとしては、例えば木質調化粧シートであれば０．０５ｍｍ〜０．３ｍｍ、鏡面調化粧シートであれば０．１ｍｍ〜０．４ｍｍ、鏡面含むメラミン板であれば１．０ｍｍ〜１．５ｍｍ、突板であれば０．２ｍｍ〜０．７ｍｍ程度の範囲とすることができる。その中でも加工性と意匠性を考慮すると、樹脂系の化粧シートが好ましい。そして、樹脂系の化粧シートにおいては、表面にエンボスや木目、木肌調の凹凸模様を有する木質調化粧シートは当然のことながら、表面粗さ（算術平均表面粗さＲａ、ＪＩＳ Ｂ０６０１：２００１に準拠）が０．０１μｍ〜１０μｍといった表面が平滑で高い艶を有する鏡面調化粧シートでも、扉１の開閉をスムーズに行う事ができる。なお、化粧シート４に変えて、本体部２および把手部３の表面を塗装などで化粧することもできる。
【００２３】
本実施形態の扉１によると、把手部３の凹部３２の前面側縁部３０側の第１の部分３３を直線状に形成するとともに、第１の部分３３の傾斜角度θを１７度以上であって２４度よりも小さくなるように設定することで、扉開閉時に指が挿入される側の前面側縁部３０近傍に指が非常に引っ掛かりやすい部分を形成することができる。これにより、扉開閉時の把手部３の凹部３２への指の引っ掛かりを格段に良くすることができる。
【００２４】
表１は、直線状の第１の部分３３および円弧状の第２の部分３４からなる凹部３２を有する把手部３について、扉開閉時における凹部３２への指の引っ掛かりやすさに関する官能試験を行った結果を示したものである。扉１は、本体部２および把手部３をＭＤＦもしくはパーティクルボードを切削することで、表１の試験例１〜８に示すように、第１の部分３３の傾斜角度θ（図２に示す）が所定の値となる形状に形成し、その表面に木目調化粧シート、鏡面調化粧シート、メラミン化粧板などをラミネートすることで作成した。なお、表１中、ｒは前面側縁部３０の端部の曲率半径を示し、Ｄは扉１（本体部２）の厚みを示している（図２参照）。また、試験例９として、凹部３２が円弧状の部分のみからなる把手部３についても、扉開閉時の凹部３２の指の引っ掛かりやすさに関する官能試験を行った。扉開閉時における凹部３２の指の引っ掛かりやすさの評価は、成人男性３０名、成人女性（付け爪装着なし）１５名、成人女性（付け爪装着あり）８名、幼児（４歳〜９歳）８名の計６１名のモニターを対象とし、モニター各人に、それぞれ、（i）素手（乾いた状態）、（ii）素手（濡れた状態）、（iii）軍手を装着した状態、（iv）ゴム手袋（塩化ビニール製、手の平まわり２０ｃｍ、中指７．５ｃｍ）を装着した状態、の各状態で扉１を開閉してもらい、扉開閉時に把手部３の凹部３２に指が引っ掛かりやすいと感じた場合は○、指が引っ掛かりにくいと感じた場合は×として評価した。
【００２５】
【表１】
2014070326.tif 000003
【００２６】
このように、表１によると、把手部３について、凹部３２の第１の部分３３の傾斜角度θが２４度よりも小さい試験例１，２は、成人男性や成人女性、幼児を問わず、また、いずれの手の状態（i）〜（iv）においても、扉開閉時における把手部３の凹部３２への指の引っ掛かりが格段に良いことが確認されている。一方で、凹部３２の第１の部分３３の傾斜角度θが２４度以上である試験例３〜８および凹部３２が円弧状部分のみからなる試験例９では、扉開閉時の把手部３の凹部３２への指の引っ掛かりが悪いかあるいは良好とはいえず、扉開閉時に凹部３２において指の滑りが生じやすくなっているのが確認されている。
【００２７】
さらに、本実施形態の扉１によると、把手部３の凹部３２の後面側縁部３１側の第２の部分３４を、４．０ｍｍよりも大きい曲率半径Ｒを有する円弧状に形成することで、扉開閉時に凹部３２に指を挿入しやすくすることができる。
【００２８】
表２は、直線状の第１の部分３３および円弧状の第２の部分３４からなる凹部３２を有する把手部３について、扉開閉時における凹部３２への指の入りやすさに関する官能試験を行った結果を示したものである。扉１は、表１と同様に、本体部２および把手部３をＭＤＦもしくはパーティクルボードを切削することで、表２の試験例１０〜１７に示すように、第２の部分３４の曲率半径Ｒ（図２に示す）が所定の値となる形状に形成し、その表面に木目調化粧シート、鏡面調化粧シート、メラミン化粧板などをラミネートすることで作成した。なお、表２中、Ｂは前面側縁部３０の外端部Ｐ２と凹部３２の最深部Ｐ１との間の距離を示し、Ｄは扉１（本体部２）の厚みを示している（図２参照）。扉開閉時における凹部３２への指の入りやすさの評価は、表１と同様に、成人男性３０名、成人女性（付け爪装着なし）１５名、成人女性（付け爪装着あり）８名、幼児（４歳〜９歳）８名の計６１名のモニターを対象とし、モニター各人に、それぞれ、（i）素手（乾いた状態）、（ii）素手（濡れた状態）、（iii）軍手を装着した状態、（iv）ゴム手袋（塩化ビニール製、手の平まわり２０ｃｍ、中指７．５ｃｍ）を装着した状態、の各状態で扉１を開閉してもらい、扉開閉時に把手部３の凹部３２に指が入りやすいと感じた場合は○、指が入りにくいと感じた場合は×として評価した。
【００２９】
【表２】
2014070326.tif 000004
【００３０】
このように、表２によると、把手部３について、凹部３２の第２の部分３４の曲率半径Ｒが４．０ｍｍよりも大きい試験例１１〜試験例１７は、成人男性や成人女性、幼児を問わず、また、いずれの手の状態（i）〜（iv）においても、扉開閉時に把手部３の凹部３２に指が格段に入りやすい一方で、凹部３２の第２の部分３４の曲率半径Ｒが４．０ｍｍ以下である試験例１０では、（特に成人男性において）扉開閉時に把手部３の凹部３２に指が入りにくく、扉１の開閉操作時に無駄な力が必要となることが確認されている。また、前面側縁部３０の外端部Ｐ２と凹部３２の最深部Ｐ１との間の距離Ｂが８．０ｍｍよりも大きい試験例１１，１２，１４，１６，１７は、前記距離Ｂが８．０ｍｍ以下である試験例１２，１４と比較して、扉開閉時に把手部３の凹部３２により指が入りやすいことが確認されている。
【００３１】
以上のとおり、本実施形態の扉１は、把手部３の凹部３２の前面側縁部３０側に、直線状であり、かつ、傾斜角度θが１７度以上であって２４度よりも小さい第１の部分３３を形成するとともに、後面側縁部３１側に、曲率半径Ｒが４．０ｍｍよりも大きい円弧状の第２の部分３４を形成することで、扉開閉時に、把手部３の凹部３２に指を挿入しやすくなり、かつ、挿入された指が把手部３の凹部３２に良好に引っ掛かるので、扉１の開閉をスムーズに行うことができる。
【００３２】
なお、表３は、直線状の第１の部分３３および円弧状の第２の部分３４からなる凹部３２を有する把手部３について、扉開閉時における扉の開閉のしやすさに関する官能試験を行った結果を示したものである。実施例１，２は、上記した傾斜角度θ、曲率半径Ｒおよび距離Ｂについて、それぞれ所定の範囲（１７度≦θ＜２４度、４．０ｍｍ＜Ｒ、８．０ｍｍ＜Ｂ）を満たすように、また、本体部２の厚みＤが２０ｍｍ以下となるように、表１および表２と同様に、本体部２および把手部３をＭＤＦもしくはパーティクルボードを切削することで形成し、その表面に木目調化粧シート、鏡面調化粧シート、メラミン化粧板などをラミネートすることで作成した扉である。一方、比較例１〜４は、上記した傾斜角度θ、曲率半径Ｒおよび距離Ｂについて、いずれも所定の範囲を満たさない、あるいは、いずれかが所定の範囲を満たさないように、本体部２および把手部３をＭＤＦもしくはパーティクルボードを切削することで形成し、その表面に木目調化粧シート、鏡面調化粧シート、メラミン化粧板などをラミネートすることで作成した扉である。なお、表３中、Ａは後面側縁部３１の厚みを示し、Ｃは前面側縁部３０の外端部Ｐ２と後面側縁部３１の端部との間の距離を示している（図２参照）。扉開閉時における扉の開閉のしやすさの評価は、表１および表２と同様に、成人男性３０名、成人女性（付け爪装着なし）１５名、成人女性（付け爪装着あり）８名、幼児（４歳〜９歳）８名の計６１名のモニターを対象とし、モニター各人に、それぞれ、（i）素手（乾いた状態）、（ii）素手（濡れた状態）、（iii）軍手を装着した状態、（iv）ゴム手袋（塩化ビニール製、手の平まわり２０ｃｍ、中指７．５ｃｍ）を装着した状態、の各状態で扉１を開閉してもらい、扉開閉時に扉が開閉しやすいと感じた場合は○、扉が開閉しにくいと感じた場合は×として評価した。
【００３３】
【表３】
2014070326.tif 000005
【００３４】
このように、表３によると、把手部３について、傾斜角度θ、曲率半径Ｒおよび距離Ｂの全てが所定の範囲（１７度≦θ＜２４度、４．０ｍｍ＜Ｒ、８．０ｍｍ＜Ｂ）を満たす実施例１，２（特に４．５ｍｍ≦Ｒ、９．０ｍｍ≦Ｂ）は、成人男性や成人女性、幼児を問わず、また、いずれの手の状態（i）〜（iv）においても、傾斜角度θ、曲率半径Ｒおよび距離Ｂの全てが所定の範囲を満たさない比較例１と比べて、扉開閉時に扉が明らかに開閉しやすいことが確認されている。さらに、傾斜角度θ、曲率半径Ｒおよび距離Ｂの少なくとも１つが所定の範囲を満たさない比較例２〜４と比べても、扉開閉時に扉が格段に開閉しやすいことが確認されている。
【００３５】
以上、本発明の実施形態について説明したが、本発明はこれらに限定されるものではなく、本発明の趣旨を逸脱しない限りにおいて種々の変更が可能である。例えば、本実施形態では、把手部３と本体部２とが一体に形成されているが、把手部３を本体部２とは別部材とし、接着剤などの他適当な方法で両者を固定するようにしてもよい。
【符号の説明】
【００３６】
１    扉
２    本体部
３    把手部
４    化粧シート
３０  前面側縁部
３１  後面側縁部
３２  凹部
３３  第１の部分
３４  第２の部分
θ    傾斜角度
Ｒ    曲率半径
Ｂ    前面側縁部の外端部と凹部の最深部との間の距離
Ｄ    本体部の厚み
【図１】
2014070326.tif 000006
【図２】
2014070326.tif 000007
【図３】
2014070326.tif 000008
【図４】
2014070326.tif 000009